(57)【特許請求の範囲】
【請求項１】
電気装置を引き出し基板構造体（４）内に装填する方法であって、
引き出し基板構造体の第１及び第２の対向する側部分（６、７）の一方に取り付けられた、少なくともキャリアレール（４４）及び装填レール（４６）を含む伸縮レールユニット（３３）を、該伸縮レールユニットが引き出し基板構造体内に位置するしまい込み状態から、該伸縮レールユニットが引き出し基板構造体から延出する展開状態へ移動させること、
電気装置（１０）を前記キャリアレール又は前記装填レールの少なくとも一方の上に支持すること、
前記キャリアレール又は前記装填レールの少なくとも一方の上の前記電気装置を引き出し基板構造体内へ移動させることによって電気接点に係合させること、
前記電気装置（１０）を前記キャリアレール又は前記装填レールの少なくとも一方から前記引き出し基板構造体の第１及び第２の対向する側部分（６、７）の一方に取り付けられた、電気装置受け台（８７）へ移動させること、
を含み、
前記電気装置受け台（８７）が、前記伸縮レールユニットから垂直方向にオフセットしている、方法。
【請求項２】
前記伸縮レールユニットを前記しまい込み状態に戻すように移動することを含む、請求項１に記載の方法。
【請求項３】
前記電気装置（１０）が前記引き出し基板構造体（４）に支持されているときに、前記電気装置（１０）が、水平面に沿って移動することを抑制することを含む、請求項１または２に記載の方法。
【請求項４】
前記展開状態へ移動させることが、
前記キャリアレール及び前記装填レールの両方を前記引き出し基板構造体（４）の前縁を越えて伸長させることを含む、請求項１乃至３のいずれかに記載の方法。
【請求項５】
前記引き出し基板構造体の前記第１及び第２の対向する側部分（６、７）の他方に取り付けられた、少なくとも別のキャリアレール（４４）及び別の装填レール（４６）を有する別の伸縮レールユニット（３４）を、該別の伸縮レールユニットが前記引き出し基板構造体内に位置するしまい込み状態から、別の伸縮レールユニットが前記引き出し基板構造体から延出する展開状態へ移動させること、及び
電前記気装置（１０）を前記伸縮レールユニット（３３）及び別の伸縮レールユニット上に支持することを含む、請求項１乃至４のいずれかに記載の方法。
【請求項６】
前記キャリアレール（４４）及び前記装填レール（４６）間の接続部に予荷重を加えることをさらに含む、請求項１乃至５のいずれかに記載の方法。
【発明の詳細な説明】
【技術分野】
【０００１】
本開示は、配電機器の分野に、特に配電装置アセンブリ用の装填レールアセンブリに関する。
【背景技術】
【０００２】
従来のスイッチギヤは複数の引き出しユニットを備え、この引き出しユニットのそれぞれには、モータコントローラ及び回路遮断器などの１つ又は複数のスイッチング装置が収容されている。各スイッチング装置は、１つ又は複数の母線に切り離し可能に相互接続される。関連のスイッチング装置のメンテナンス及び／又は交換を容易にするために、定期的に引き出しユニットを取り外す必要がある。多くの場合、引き出しユニットの取り外しは比較的簡単な作業である。操作バーを作動させ、それにより引き出しユニットを母線から離れるように付勢して、スイッチング装置を切り離す。この時点で、引き出しユニットを簡単に外し取り出すことができるが、引き出しユニットの取り外しに特別な取扱器具が必要な場合もある。
【０００３】
スイッチギヤが大型になると、重量が２５０ｋｇを超える回路遮断器を用いることが多い。そのような回路遮断器を備える引き出しユニットの取り外し及び設置には、一般的にクレーンが必要である。クレーンを用いて、スイッチギヤにおける引き出しユニットの持ち上げ及び位置決め、又はスイッチギヤからの引き出しユニットの取り外し及び降下のいずれかを行う。いずれの場合も、クレーンの取り付け／取り外しのためにスイッチギヤの位置で引き出しユニットを支持することは面倒である。引き出しユニットは、スイッチギヤの開口部において支持されており、多くの場合、回路遮断器上のクラスタ接点が、ハウジング内の基板構造体上に位置する補助接点に多かれ少なかれ接触する。このため、設置及び取り外し中、回路遮断器をクレーンから装填する際の前後の位置合わせが必要となることが多い。
【発明の概要】
【課題を解決するための手段】
【０００４】
本発明の例示的な実施形態に従って構成された配電装置アセンブリは、少なくとも第１及び第２の対向する側部分を有する引き出し基板構造体を備える。配電装置アセンブリは、第１及び第２の対向する側部分の一方に取り付けられた伸縮レールユニットも備える。伸縮レールユニットは、キャリアレール支持面を有するキャリアレールと、装填レール支持面を有する装填レールとを含む。装填レールは、キャリアレールによって摺動可能に支持されており、それにより、伸長展開状態及び後退しまい込み状態が画定するようになっている。配電装置アセンブリは、キャリアレール又は装填レールの少なくとも一方の上に支持されて引き出し基板構造体の内外へ選択的に移動可能である電気装置も備える。
【０００５】
本発明の他の例示的な実施形態は、電気装置を引き出し基板構造体内に装填する方法を含む。本方法は、引き出し基板構造体の第１及び第２の対向する側部分の一方に取り付けられた伸縮レールユニットを、伸縮レールユニットが引き出し基板構造体内に位置するしまい込み状態から、伸縮レールユニットが引き出し基板構造体から延出する展開状態へ移動させることを含む。伸縮レールユニットは、少なくともキャリアレール及び装填レールを含む。本方法はさらに、電気装置をキャリアレール及び装填レールの少なくとも一方の上に支持すること、及びキャリアレール及び装填レールの少なくとも一方の上の電気装置を引き出し基板構造体内へ移動させ、それにより、電気接点に係合させることを含む。
【０００６】
本発明の例示的実施形態による技術から、本発明のさらなる特徴および利点が明らかとなる。その他、本明細書に詳述する以外の本発明にかかる実施形態および態様も、本発明の特許請求の範囲に記載されている発明とみなす。
【０００７】
本発明の利点および特徴をよりよく理解するには、以下の詳細な説明と添付図面を参照されたい。
【図面の簡単な説明】
【０００８】
【図１】本発明の例示的な実施形態に従って構成された装填レールアセンブリ上に支持された電気装置を示す配電装置アセンブリの右側斜視図である。
【図２】図１の電気装置の上面図である。
【図３】本発明の例示的な実施形態に従った装填レールアセンブリによって容易になったクラスタフィンガ及び補助接点の位置合わせを示す図２の電気装置の詳細図である。
【図４】図１の装填レールアセンブリの伸縮レールユニットの分解図である。
【図５】図１の配電装置アセンブリの部分立面図である。
【図６】電気装置が引き出し基板構造体内へ移動し、装填レールアセンブリが展開状態にある状態を示す図１の配電装置アセンブリの右側斜視図である。
【図７】装填レールアセンブリがしまい込み状態へ移動した状態を示す図６の配電装置アセンブリの右側斜視図である。
【発明を実施するための形態】
【０００９】
まず図１〜図３に、本発明の例示的な実施形態に従って構成された配電装置アセンブリを、全体的に参照番号２で示す。配電装置アセンブリ２は、少なくとも第１側壁６と対向する第２の側壁７とを有するハウジング又は引き出し基板構造体４を備える。配電装置アセンブリ２は、引き出し基板構造体４内に位置する、回路遮断器１０として示す電気装置をさらに含む。回路遮断器１０は、第１及び第２の側面又は部分１５及び１６を有する本体１４と、２つを全体的に１８で示す複数のクラスタフィンガとを有する。以下に詳述するように、クラスタフィンガ１８は、引き出し基板構造体４内に設けられた主接点すなわち基板構造体スタブ１９に係合するように構成されている。回路遮断器１０はまた、図示において、第２側部分１６に取り付けられた取り付けプレート２０を有している。取り付けプレート２０は、一対の滑り部材２２及び２３を備える。図示の例示的な実施形態において、滑り部材２２及び２３は、取り付けプレート２０上に回転可能に支持されたローラの形をとる。図示しないが、側部分１５は、対応の取り付けプレート及び追加の滑り部材を備えることを理解されたい。図示の形態において、滑り部材２２及び２３は、追加の滑り部材とともに、装填レールアセンブリ３０上に載置されている。この配置において、回路遮断器１０を引き出し基板構造体４内へ容易に設置し（図６を参照）、それにより、主電気接点（図示せず）及び補助接点１９を係合させることができる。
【００１０】
図４に最もわかりやすく示すように、装填レールアセンブリ３０は、側壁６に取り付けられた第１伸縮レールユニット３３と、側壁７に取り付けられた第２伸縮レールユニット３４とを含む。ここで、各伸縮レールユニットは同様に構成され、そのため、第１伸縮レールユニット３３は対応構造を有するという理解のもとで、第２伸縮レールユニット３４を参照しながら詳細な説明を次に行うことを理解されたい。伸縮レールユニット３４は、第１すなわちキャリアレール４４と第２すなわち装填レール４６とを含む。キャリアレール４４は、第１端部５４を有し、中間部５６を経て第２端部５５まで延在する。中間部５６は、第１端部５４と第２端部５５との間に延在する第１縁部すなわちキャリアレール支持面６０及び第２縁部６１を有する。中間部５６はまた、キャリアレール４４に沿って第１端部５４と第２端部５５との間に長手方向に延在するスロット６４を有する。スロット６４は、側部分７の内面（個別に番号を付けていない）に取り付けられたピン要素（図示せず）に摺動係合する形状になっている。キャリアレール４４はまた、図示において、装填レール４６用の摺動接触面を提供する第１ピン部材６６及び第２ピン部材６７を有している。図示の例示的な実施形態において、第１ピン部材６６は、第２ピン部材６７に対して垂直方向にオフセットしている。この配置により、垂直方向にオフセットしていることによって予荷重が生じ、装填レール４６及びキャリアレール４４を相互連結したとき、伸縮レールユニット３４がたわみ又は変形をほとんど伴わずに大きい荷重を支持できるようになる。
【００１１】
上記と同様に、装填レール４６は、第１端部７０を有し、中間部７２を経て第２端部７１まで延在する。中間部７２は、第１端部７０と第２端部７１との間に延在する第１縁部すなわち装填レール支持面７６及び反対の第２縁部７３を有する。中間部７２はまた、装填レール４６に沿って第１端部７０と第２端部７１との間に長手方向に延在するスロット８０を有する。スロット８０は、以下に詳述するように、装填レール４６用の摺動接触面を設けるためにピン部材６６及び６７に摺動係合するような形状になっている。装填レール４６は、第２端部７１に設けられたタブ部分８２も有する。タブ部分８２によって、技術者が伸縮レールユニット３４を容易に掴んで滑らせて引き出し基板構造体４から外すことができる構造が備わる。また、タブ部材８２は、電気装置１０が装填レールアセンブリ３０から転がり落ちることを防止するストッパとして機能する。
【００１２】
図５に最もわかりやすく示すように、配電装置アセンブリ２は、側壁７の内面（個別に番号を付けていない）に取り付けられた電気装置受け台８７も備える。電気装置受け台８７は、キャリアレール支持面６０及び装填レール支持面７６から垂直方向にずれた電気装置支持面８９を有する。この構造により、電気装置１０を引き出し基板構造体４内へ移動させると、滑り部材２２及び２３は装填レールアセンブリ３０から電気装置支持面８９上へ移行する。一旦降ろされると、各伸縮レールユニット３４は、図７に示すようなしまい込み状態へ容易に移動可能である。また、配電装置アセンブリ２は、側壁７の内面（個別に番号を付けていない）に取り付けられたＬ字形フランジ９２を備える。Ｌ字形フランジ９２は、垂直部分９３及び水平部分９４を有する。水平部分９４は、電気装置支持面８９から、滑り部材２２及び２３の直径よりわずかに大きい距離だけ垂直方向にオフセットしている。この配置により、以下に詳述するように、Ｌ字形フランジ９２は、係合状態及び離脱状態間の移動時に電気装置１０が水平面に移動することを抑制するよう働く。すなわち、さもなければ電気装置１０の回転移動によってクラスタフィンガ１８が基板構造体スタブ２１から離脱し、引き出し基板構造体４内に配置された補助接点１００（図２及び図３を参照）と接触するところを、Ｌ字形フランジ９２が電気装置１０の回転移動を防止することによって阻止する。
【００１３】
本発明の例示的な実施形態によれば、交換及び／又はメンテナンスなどのために電気装置１０の取り外しが必要な場合、伸縮レールユニット３３及び３４を、図７に示すようなしまい込み位置から、図１及び図６に示すような、キャリアレール４４及び装填レール４６の両方が引き出し基板構造体４の前縁（個別に番号を付けていない）を越えて伸長する伸長又は展開状態に移動させる。電気装置１０を電気装置支持面８９から装填レールアセンブリ３０上に移動させる。電気装置１０を装填レールアセンブリ３０に沿って装填レール支持面７６上に移動させる。ここで、ピン部材６６及び６７の位置で予荷重を生じることにより、装填レール４６は、大きい荷重を装填レールアセンブリ３０から片持ち支持するにもかかわらず屈曲又は変形しないことを理解されたい。一旦、電気装置１０を引き出し基板構造体４から完全に引き出して、主接点１９及び補助接点１００をクラスタフィンガ１８から完全に離す。電気装置１０をクレーン（図示せず）で持ち上げて、伸縮レールユニット３３及び３４から取り外す。ここで、第１及び第２伸縮レールユニットを、キャリアレール４４及び装填レール４６の両方が引き出し基板構造体４内に完全に収容されている図７に示すようなしまい込み状態に戻す、すなわち電気装置１０を戻して引き出し基板構造体４内へ再導入するまで、展開したままにすることができる。
【００１４】
ここで、装填レールアセンブリ３０は、回路遮断器などの電気装置を、全ての補助電気接点から完全に離れている状態で引き出し基板構造体の位置に十分に支持することができる、容易に展開可能／しまい込み可能な支持面を提供することを理解されたい。加えて、装填レールに予荷重を加えることにより、装填レールアセンブリは、容易に確認できるほどのたわみ／変形を伴うことなく、２５０ｋｇを超える重さの回路遮断器を容易に支持することができる。さらに本発明の例示的な実施形態において、電気装置の水平面への移動を抑制することで、設置及び／又は取り外し中の転倒を減少させることができる。最後になるが、電気装置に取り付けられた滑り部材を使用することにより、装填中に横方向移動を全く必要とすることなく、クラスタフィンガ及び補助フィンガ間の位置合わせを改良することができる。
【００１５】
以上、本発明を実施するための最良の形態を含め、例示によって本発明を説明してきた。これにより、本発明にかかるあらゆるデバイス又はシステムを作製すること又はそのような方法を実施することを含め、当業者が本発明を実施することができる。本発明の特許可能な範囲は、添付の特許請求の範囲より定義され、当業者に想起可能なその他の例も包含する。このような例は、添付の特許請求の範囲に記載の文言と相違ない構成要素を有する、又は添付の特許請求の範囲に記載の文言と同等の構成要素を有する限り、本発明の例示的実施形態の範疇にあるものとみなす。
【図１】
0005322750.tif 000002
【図２】
0005322750.tif 000003
【図３】
0005322750.tif 000004
【図４】
0005322750.tif 000005
【図５】
0005322750.tif 000006
【図６】
0005322750.tif 000007
【図７】
0005322750.tif 000008